(57)【要約】【課題】  大量の印刷物を要する文書データの印刷でも、印刷中に無人状態が発生して印刷物が持ち去られることを防止する画像形成システムおよび画像形成装置および印刷依頼装置を提供する。【解決手段】  プリンタドライバ１７が印刷が所望される文書データを受け付けると、文書データが分割されて、それぞれの分割された文書データから印刷ジョブが作成される。  そのようにして作成された複数の印刷ジョブにはパスワードが付与され、画像形成装置３０に送られると、ユーザによりパスワード受付部３５にパスワードが入力されない限り次の印刷ジョブの印刷は行われない。【選択図】  図１
2008276600.tif 000002
【特許請求の範囲】
【請求項１】
印刷情報を送信する印刷依頼端末と、
前記印刷依頼端末より印刷情報を受信して印刷を行う画像形成装置と
を具備し、
前記印刷依頼端末は、
文書情報の印刷指示を受け付ける受付手段と、
前記受付手段で受け付けた文書情報を複数の分割印刷情報に分割する分割手段と、
前記分割手段によって分割された複数の分割印刷情報に対してそれそれパスワードを付与するパスワード付与手段と、
前記パスワード付与手段によりそれぞれパスワードが付与された複数の分割印刷情報を前記画像形成装置に送信する送信手段と
を備え、
前記画像形成装置は、
前記送信手段によって送信された複数の分割印刷情報を受信し蓄積する蓄積手段と、
前記分割印刷情報に対応するパスワードを入力する入力手段と、
前記入力手段によって入力されたパスワードが、前記蓄積手段により蓄積した前記分割印刷情報に付与されるパスワードのいずれかと一致するか否かを確認する確認手段と、
前記確認手段によりパスワードが一致した分割印刷情報の印刷を実施する印刷実行手段と
を備える画像形成システム。
【請求項２】
前記分割手段は、
前記文書情報をページ単位で分割する請求項１記載の画像形成システム。
【請求項３】
前記確認手段は、
前記入力手段によって入力されたパスワードが前記蓄積手段に蓄積された複数の分割印刷情報の中の先頭の分割印刷情報に付与されたパスワードと一致するか否かを最初に確認し、該パスワードが一致した場合に、前記入力手段によって次に入力されたパスワードが次の分割印刷情報に付与されたパスワードと一致するか否かを確認する
請求項１または２記載の画像形成システム。
【請求項４】
前記印刷実行手段は、
印刷物に次の分割印刷情報に付与されたパスワードを埋め込んで印刷を実行し、
前記入力手段は、
前記印刷物に埋め込まれたパスワードを画像読取手段により読み込むことにより該当パスワードの入力を行う請求項１または２記載の画像形成システム。
【請求項５】
印刷依頼端末より印刷情報を受信して印刷を行う画像形成装置であって、
前記印刷依頼端末から送信されたそれぞれパスワードが付与された複数の分割印刷情報を受信し蓄積する蓄積手段と、
前記分割印刷情報に対応するパスワードを入力する入力手段と、
前記入力手段によって入力されたパスワードが、前記蓄積手段により蓄積した前記分割印刷情報に付与されるパスワードのいずれかと一致するか否かを確認する確認手段と、
前記確認手段によりパスワードが一致した分割印刷情報の印刷を実施する印刷実行手段と
を備える画像形成装置。
【請求項６】
画像形成装置に印刷情報を送信して印刷依頼を行う印刷依頼端末であって、
文書情報の印刷指示を受け付ける受付手段と、
前記受付手段で受け付けた文書情報を複数の分割印刷情報に分割する分割手段と、
前記分割手段によって分割された複数の分割印刷情報に対してそれそれパスワードを付与するパスワード付与手段と、
前記パスワード付与手段によりそれぞれパスワードが付与された複数の分割印刷情報を前記画像形成装置に送信する送信手段と
を備える印刷依頼装置。
【発明の詳細な説明】
【技術分野】
【０００１】
本発明は、画像形成システムおよび画像形成装置および印刷依頼装置に関する。
【背景技術】
【０００２】
従来より、オフィス内には、文書作成アプリケーションから作成した文書データを用紙に印刷して書類を作成することができる画像形成装置が存在する。
【０００３】
社外秘や部外秘などの機密書類も、このようなオフィス内の画像形成装置で作成される。
【０００４】
オフィス内の画像形成装置の配置は、複数のパーソナルコンピュータとネットワークで接続されたネットワークプリンタとされている場合が多く、ユーザが操作するパーソナルコンピュータと画像形成装置とが離れていて、印刷を指示してから画像形成装置で印刷された印刷物をユーザが取りにいくまでに時間がかかる場合もある。
【０００５】
このようにパーソナルコンピュータと画像形成装置とが離れている場合には、画像形成装置に排紙されたままになっている印刷物を他人が勝手に持ち出す可能性があるという問題がある。
【０００６】
この問題に対して、パーソナルコンピュータではパスワード付きの印刷ジョブを作成して画像形成装置に送信し、画像形成装置では印刷ジョブを受信した直後に印刷を開始するのではなくてユーザによるパスワード入力が行われて認証された後に印刷ジョブの印刷を開始するという、パスワード設定が可能な印刷技術が存在する。
【０００７】
また、特許文献１には、ドライバで印刷ジョブが作成される際に利用者介入の必要性とパスワードとが設定され、印刷ジョブを受信する画像形成装置は、印刷物を納めるカバー付きボックスを備え、印刷した印刷物をカバー付きボックスに排出し、ユーザが操作パネルより入力するパスワードの認証が行われることによって印刷物を納めたカバー付ボックスのカバーが開けられることにより、印刷物の機密性を保持することができるプリンタが提案されている。
【０００８】
また、特許文献２には、ホストマシンにおいて印刷ジョブの出力回数、印刷を許可するパスワードが設定され、画像形成装置で、設定されたパスワードが入力されると受信した印刷ジョブを印刷するが、印刷ジョブの出力回数が設定された通りに制限される画像形成装置および印刷プログラムが提案されている。
【特許文献１】特開２００１−２３９７２０号公報
【特許文献２】特開２００６−１５９８３２号公報
【発明の開示】
【発明が解決しようとする課題】
【０００９】
しかし、特許文献１の技術では、プリンタにカバー付ボックスを設置する必要があり、コストが掛かってしまう。
【００１０】
また、特許文献２の技術では、画像形成装置のメモリ内に記憶される印刷ジョブの印刷回数を制限できるが、大量の印刷物が排出される印刷ジョブだと、その印刷物を印刷している間に画像形成装置から印刷指示者が離れると印刷中の印刷物が持ち去られる可能性がある。
【００１１】
そこで、この発明は、一つの文書データから複数の印刷ジョブを作成して、一つの印刷ジョブより印刷される印刷物を少量にし、大量の印刷物を要する文書データの印刷でも印刷途中で印刷物が持ち去られることを防止する画像形成システムおよび画像形成装置および印刷依頼装置を提供することを目的とする。
【課題を解決するための手段】
【００１２】
上記目的を達成するために、請求項１の発明の画像形成システムは、印刷情報を送信する印刷依頼端末と、前記印刷依頼端末より印刷情報を受信して印刷を行う画像形成装置とを具備し、前記印刷依頼端末は、文書情報の印刷指示を受け付ける受付手段と、前記受付手段で受け付けた文書情報を複数の分割印刷情報に分割する分割手段と、前記分割手段によって分割された複数の分割印刷情報に対してそれそれパスワードを付与するパスワード付与手段と、前記パスワード付与手段によりそれぞれパスワードが付与された複数の分割印刷情報を前記画像形成装置に送信する送信手段とを備え、前記画像形成装置は、前記送信手段によって送信された複数の分割印刷情報を受信し蓄積する蓄積手段と、前記分割印刷情報に対応するパスワードを入力する入力手段と、前記入力手段によって入力されたパスワードが、前記蓄積手段により蓄積した前記分割印刷情報に付与されるパスワードのいずれかと一致するか否かを確認する確認手段と、前記確認手段によりパスワードが一致した分割印刷情報の印刷を実施する印刷実行手段とを備えるように構成される。
【００１３】
また、請求項２の発明は、請求項１の発明において、前記分割手段は、前記文書情報をページ単位で分割するように構成される。
【００１４】
また、請求項３の発明は、請求項１または２の発明において、前記確認手段は、前記入力手段によって入力されたパスワードが前記蓄積手段に蓄積された複数の分割印刷情報の中の先頭の分割印刷情報に付与されたパスワードと一致するか否かを最初に確認し、該パスワードが一致した場合に、前記入力手段によって次に入力されたパスワードが次の分割印刷情報に付与されたパスワードと一致するか否かを確認するように構成される。
【００１５】
また、請求項４の発明は、請求項１または２の発明において、前記印刷実行手段は、印刷物に次の分割印刷情報に付与されたパスワードを埋め込んで印刷を実行し、前記入力手段は、前記印刷物に埋め込まれたパスワードを画像読取手段により読み込むことにより該当パスワードの入力を行うように構成される。
【００１６】
また、請求項５の発明の画像形成装置は、印刷依頼端末より印刷情報を受信して印刷を行う画像形成装置であって、前記印刷依頼端末から送信されたそれぞれパスワードが付与された複数の分割印刷情報を受信し蓄積する蓄積手段と、前記分割印刷情報に対応するパスワードを入力する入力手段と、前記入力手段によって入力されたパスワードが、前記蓄積手段により蓄積した前記分割印刷情報に付与されるパスワードのいずれかと一致するか否かを確認する確認手段と、前記確認手段によりパスワードが一致した分割印刷情報の印刷を実施する印刷実行手段とを備えるように構成される。
【００１７】
また、請求項６の発明の印刷依頼装置は、画像形成装置に印刷情報を送信して印刷依頼を行う印刷依頼端末であって、文書情報の印刷指示を受け付ける受付手段と、前記受付手段で受け付けた文書情報を複数の分割印刷情報に分割する分割手段と、前記分割手段によって分割された複数の分割印刷情報に対してそれそれパスワードを付与するパスワード付与手段と、前記パスワード付与手段によりそれぞれパスワードが付与された複数の分割印刷情報を前記画像形成装置に送信する送信手段とを備えるように構成される。
【発明の効果】
【００１８】
請求項１の発明によれば、一つの文書データの印刷物が１度のパスワード入力によって印刷されるのではなく、複数回パスワード入力が行われないとその文書データの全ての印刷物が印刷されないという効果を奏する。
【００１９】
請求項２の発明によれば、文書データがページ単位で分割されたデータに基づいて複数の印刷ジョブが作成されるという効果を奏する。
【００２０】
請求項３の発明によれば、一つの文書データから作成された複数の印刷ジョブが印刷される際に、その文書データの中身の構成の内容が異なることなく印刷されるという効果を奏する。
【００２１】
請求項４の発明によれば、印刷を行わせるためのパスワード入力が、印刷された印刷物を読み取らせることにより行われて、複数の印刷ジョブの印刷が行われるという効果を奏する。
【００２２】
請求項５の発明によれば、分割された印刷ジョブの印刷をパスワードを受け付けないと実行しないようにするという効果を奏する。
【００２３】
請求項６の発明によれば、一つの文書データをパスワードが付与された複数の印刷ジョブに分割して画像形成装置に送信することができるという効果を奏する。
【発明を実施するための最良の形態】
【００２４】
以下、本発明に係わる画像形成システムおよび画像形成装置および印刷依頼装置の実施例について添付図面を参照して詳細に説明する。
【実施例１】
【００２５】
まず、本実施例では、一つの文書データから複数の印刷ジョブが作成されて、画像形成装置３０でパスワード入力による認証の結果、複数の印刷ジョブの印刷が行われる分割印刷について説明する。
【００２６】
図１は、本発明に係わる画像形成システム１００の構成を示す模式図である。
【００２７】
図１に示すように、画像形成システム１００は、パーソナルコンピュータ１０、画像形成装置３０とが通信回線２０で接続されて構成される。
【００２８】
パーソナルコンピュータ１０（以下、ＰＣ１０と呼ぶ）は、通信Ｉ／Ｆ部１１、制御部１２、ＲＡＭ(Random Access Memory)１３、表示部１４、受付部１５、記憶部１６を有する。  ＰＣ１０は印刷依頼装置である。
【００２９】
通信Ｉ／Ｆ部１１は、通信回線２０と接続され、画像形成装置３０に印刷ジョブを送信する。
【００３０】
制御部１２は、ＰＣ１０の統括的な制御を行う。
【００３１】
ＲＡＭ１３は、ＰＣ１０で制御される情報を一時的に記憶する処理を行う。
【００３２】
表示部１４は、ディスプレイ等で構成され、処理された情報をユーザに表示する。  また、印刷ジョブに付与されるパスワードも表示する。
【００３３】
受付部１５は、キーボードやマウスで構成され、ユーザからの指示を受け付ける。
【００３４】
記憶部１６は、ハードディスクなどの記憶装置で構成され、画像形成装置３０のプリンタドライバ１７のプログラムを記憶する。
【００３５】
また、記憶部１６は、プリンタドライバ１７の各種印刷条件も記憶する。
【００３６】
プリンタドライバ１７は、文書データを分割する分割機能１８、分割された文書データより印刷ジョブを作成する印刷ジョブ作成機能１９を有する。
【００３７】
そして、ＰＣ１０と通信回線２０で接続される画像形成装置３０は、制御部３１、ジョブ受付部３２、ジョブ処理部３３、印刷実行部３４、パスワード受付部３５を有する。
【００３８】
制御部３１は、画像形成装置３０の統括的な制御を行う。
【００３９】
また、制御部３１は、パスワード比較部３６を有する。
【００４０】
パスワード比較部３６は、ユーザからパスワード受付部３５より受け付けたパスワードをジョブ受付部３２に蓄積される印刷ジョブのパスワードと比較する。
【００４１】
ジョブ受付部３２は、ＰＣ１０より送信された印刷ジョブを受け付け、蓄積する。
【００４２】
ジョブ処理部３３は、ジョブ受付部３２で受け付けた印刷ジョブをＰＤＬ(Page Description Language)形式の印刷データからビットマップ形式の印刷データを作成する。
【００４３】
印刷実行部３４は、ジョブ処理部３３より送られたビットマップ形式の印刷データを用紙に印刷して排紙する。
【００４４】
パスワード受付部３５は、操作パネルで構成され、ユーザが入力するパスワードを受け付ける。
【００４５】
このように構成される画像形成システム１００では、ＰＣ１０のプリンタドライバ１７で複数ページを有する文書データの印刷指示が受け付けられると、プリンタドライバ１７の分割機能１８により文書データはページ単位で複数に分割されて、分割された文書データに基づいて印刷ジョブが印刷ジョブ作成機能１９によりそれぞれ作成される。
【００４６】
作成された印刷ジョブにはそれぞれ、一つの文書データが分割されて作成された印刷ジョブであることを示す識別子とパスワードとが付与されている。
【００４７】
印刷ジョブに付与される識別子であって、一つの文書データが分割されて作成された印刷ジョブであることを示す識別子は、分割印刷を示す識別子となる。
【００４８】
プリンタドライバ１７の印刷ジョブ作成機能１９により印刷ジョブが作成される際に、ＰＣ１０の表示部１４に、作成された複数の印刷ジョブに付与されたパスワードがそれぞれの印刷ジョブに対応して表示される。  ユーザは表示部１４に表示されたパスワードを手帳などに書き記す。
【００４９】
作成された複数の印刷ジョブは、分割される前の文書データを構成するページの順番に、画像形成装置３０に送信される。
【００５０】
複数の印刷ジョブを受信した画像形成装置３０では、最初に受信した印刷ジョブの印刷を行う。
【００５１】
そして、一つの文書データより作成された複数の印刷ジョブの中で最初に受信された印刷ジョブの印刷が終了すると、画像形成装置３０は印刷を停止する。
【００５２】
そして、ユーザは、画像形成装置３０が受信した複数の印刷ジョブのうち、印刷が終了した印刷ジョブの次の印刷ジョブを印刷させるために、次に印刷させる印刷ジョブのパスワードであって印刷ジョブが作成される際に表示部１４に表示されたパスワードを、書き記した手帳の内容に基づいてパスワード受付部３５より入力する。
【００５３】
ユーザによって入力されたパスワードは、パスワード受付部３５よりパスワード比較部３６に送られ、パスワード比較部３６が印刷ジョブ受付部３２に蓄積される印刷ジョブに付与されるパスワードと比較する。
【００５４】
そして、パスワードが一致すると次の印刷ジョブの印刷が開始される。
【００５５】
画像形成システム１００では、このように、複数ページを有する一つの文書データから作成された複数の印刷ジョブが画像形成装置３０に送られて、一つの印刷ジョブが印刷され、その後、ユーザが次の印刷ジョブのパスワードをパスワード受付部３５より入力することによって、次の印刷ジョブの印刷が開始される。
【００５６】
次に、プリンタドライバの設定画面２００について図２を参照して説明する。
【００５７】
図２は、プリンタドライバの設定画面２００を示す画面構成図である。
【００５８】
プリンタドライバの設定画面２００では、文書データが分割されて印刷ジョブが作成される際の分割に関する分割印刷条件が設定される。
【００５９】
図２に示すように設定画面２００では、分割印刷を所望するチェックボックス２０１にチェックが入れられて、分割印刷設定ボタン２０２が押下げされると、分割印刷の設定に関する分割印刷設定画面２０３が表示される。
【００６０】
分割印刷を所望するチェックボックス２０１にチェックが入れられると、プリンタドライバ１７では、複数ページを有する一つの文書データが複数の文書データに分割されて、分割された文書データに基づいてそれぞれ印刷ジョブが作成される。
【００６１】
分割印刷設定画面２０３では、文書データの分割設定欄（参照番号２０４）と分割後に作成される印刷ジョブに設定されるパスワードの設定欄（参照番号２０５）とが表示される。
【００６２】
分割印刷条件を設定するユーザは、分割印刷設定画面２０３の文書データの分割設定欄（参照番号２０４）よりジョブの分割に関する設定を行う。
【００６３】
分割に関する設定は、分割される分割数が設定される場合と、分割単位の文書データのページ数が設定される場合とがある。
【００６４】
この分割数の設定とページ数の設定とについては、実施例１で説明した分割数とページ数と同じなので、詳しい説明は省略する。
【００６５】
そして、分割印刷条件を設定するユーザは、分割印刷設定画面２０３のパスワードの設定欄（参照番号２０５）より、分割後の印刷ジョブの付与されるパスワードに関する設定を行う。
【００６６】
パスワードが付与される分割後の印刷ジョブは、一つの文書データが複数の文書データに分割されて、その複数の文書データに基づいてそれぞれ作成される。
【００６７】
そのようにして作成された印刷ジョブにはパスワードが付与される。
【００６８】
そのパスワードに関する設定がパスワードの設定欄（参照番号２０５）で行われる。
【００６９】
パスワードに関する設定は、作成された複数の印刷ジョブに全て同じパスワードを設定する場合と、作成された複数の印刷ジョブに異なる複数のパスワードを設定する場合とがある。
【００７０】
例えば、９つの印刷ジョブが作成されてパスワード数が３と設定されると、９つの印刷ジョブに設定されるパスワードが３つ（例えば、ａ、ｂ、ｃ）生成され、９つの印刷ジョブのうち、３つの印刷ジョブにはａのパスワードが設定され、３つの印刷ジョブにはｂのパスワードが設定され、３つの印刷ジョブにはｃのパスワードが設定される。
【００７１】
ユーザは、文書データの分割設定欄（参照番号２０４）とパスワードの設定欄（参照番号２０５）とで設定を行うと、ＯＫボタン２０６を押下して、更に、設定画面２００のＯＫボタン２０７を押下して分割印刷条件の設定が完了する。
【００７２】
ＯＫボタン２０７が押下されると、分割印刷設定画面２０３と設定画面２００とで設定された分割印刷条件が、ＰＣ１０の記憶部１６に記憶される。
【００７３】
次に、ＰＣ１０で行われる処理について、図３を参照して説明を行う。
【００７４】
図３は、ＰＣ１０で行われる処理を示したフローチャートであり、図３（ａ）はプリンタドライバ１７の印刷設定で行われる処理を示したフローチャートであり、図３（ｂ）はプリンタドライバ１７による印刷ジョブ作成の処理を示したフローチャートである。
【００７５】
ＰＣ１０において、図２を参照して説明したように、ＰＣ１０の表示部１４にプリンタドライバ１７の設定画面２００が表示され分割印刷を所望するチェックボックス２０１にチェックが入れられて分割印刷設定ボタン２０２が押下げされると（ステップ３０１）、文書データを分割して印刷ジョブを作成する際の分割印刷条件の設定が行われる（ステップ３０２）。
【００７６】
ＯＫボタン２０７が押下されて分割印刷条件の設定が完了すると（ステップ３０３でＹＥＳ）、分割印刷設定画面２０３と設定画面２００とで設定された分割印刷条件が記憶部１６に記憶される（ステップ３０４）。
【００７７】
次に、図３（ｂ）を参照して印刷ジョブ作成ついての処理を説明する。
【００７８】
図３（ｂ）に示すように、ＰＣ１０は、複数ページを有する文書データの印刷指示をプリンタドライバ１７が受け付けると（ステップ３１１）、プリンタドライバ１７が分割印刷される設定（チェックボックス２０１にチェック）になっているか否かが確認される（ステップ３１２）。
【００７９】
確認された結果、分割印刷される設定となっていない場合には（ステップ３１２でＮＯ）、印刷指示された文書データは分割されず、分割されたことを示す識別子が付与されることなく、通常通りＰＤＬ形式の印刷データである印刷ジョブが作成されて画像形成装置３０に送信され印刷される。
【００８０】
また、プリンタドライバ１７が分割印刷される設定となっている場合には（ステップ３１２でＹＥＳ）、印刷指示された文書データが、プリンタドライバ１７の分割機能１８によって記憶部１６に記憶される分割印刷条件に従って複数に分割され、分割された複数の文書データからそれぞれ印刷ジョブが作成され、作成された印刷ジョブには、それぞれ、一つの文書データから分割されて作成された印刷ジョブであることを示す識別子とパスワードが付与される（ステップ３１４）。  この識別子は、分割印刷であることを示す識別子である。  印刷ジョブ作成機能１９によって識別子とパスワードが付与された印刷ジョブが作成される際には、付与されたパスワードがＲＡＭ１３に記憶されて、ＲＡＭ１３に記憶されるパスワード以外のパスワードが印刷ジョブに付与される。  それで、一つの文書データが分割されて作成される複数の印刷ジョブに付与されるパスワードは、それぞれ異なるように構成される。
【００８１】
そして、分割印刷の識別子とパスワードが付与された複数の印刷ジョブは、画像形成装置３０に送信される（ステップ３１５）。
【００８２】
次に、画像形成装置３０で行われる処理について図４を参照して説明する。
【００８３】
図４は、画像形成装置３０で行われる処理を示したフローチャートである。
【００８４】
画像形成装置３０は、ＰＣ１０から送信された印刷ジョブをジョブ受付部３２で受け付ける（ステップ４０１）。  ジョブ受付部３２は、受け付けた印刷ジョブの印刷される順番を、受け付けた印刷ジョブの受付順を印刷順とする。
【００８５】
そして、制御部３１が、ジョブ受付部３２で受け付けた印刷ジョブに、分割印刷を示す識別子が付与されているか否かを確認する（ステップ４０２）。
【００８６】
制御部３１が確認した結果、受け付けた印刷ジョブに分割印刷を示す識別子が付与されていない場合には（ステップ４０２でＮＯ）、受け付けた印刷ジョブは通常印刷であると判断されて、ジョブ処理部３３でビットマップ形式の印刷データに変換された後、印刷実行部３４で印刷される（ステップ４０３）。
【００８７】
受け付けた印刷ジョブに識別子が付与されていない場合でも（ステップ４０２でＮＯ）、印刷ジョブにパスワードが付与されていた場合には、印刷ジョブがジョブ受付部３２に蓄積され、ユーザから入力されるパスワードと印刷ジョブに付与されたパスワードとがパスワード比較部３６で比較されてパスワードが一致して初めて、印刷データが変換され印刷が行われる（ステップ４０３）。
【００８８】
また、制御部１２が確認した結果、受け付けた印刷ジョブに分割印刷を示す識別子が付与されている場合には（ステップ４０２でＹＥＳ）、ジョブ受付部３２に印刷ジョブを蓄積したまま、ユーザがパスワード受付部３５よりパスワードを入力するのを待つ状態となる（ステップ４０４でＮＯ）。
【００８９】
分割印刷の印刷ジョブをＰＣ１０より送信したユーザは、ＰＣ１０の表示部１４に表示されたパスワードを手帳に書き記して画像形成装置３０に移動し、パスワード受付部３５よりパスワードを入力して、画像形成装置３０で印刷を開始させる。
【００９０】
画像形成装置３０のパスワード受付部３５でパスワードが受け付けられると（ステップ４０４でＹＥＳ）、パスワード比較部３６が、パスワード受付部３５が受け付けたパスワードをジョブ受付部３２に蓄積している印刷ジョブに付与されたパスワードと比較して、一致するか否かを確認する（ステップ４０５）。
【００９１】
比較された結果、ジョブ受付部３２に一致したパスワードが付与された印刷ジョブがある場合には（ステップ４０５でＹＥＳ）、ユーザにより入力されたパスワードが正しいとされ、一致したパスワードが付与された印刷ジョブがジョブ処理部３３に送られる（ステップ４０６）。
【００９２】
ジョブ処理部３３に送られた印刷ジョブはＰＤＬ形式の印刷データからビットマップ形式の印刷データに変換されて印刷実行部３４で用紙に印刷される（ステップ４０６）。
【００９３】
最初に受け付けた印刷ジョブが印刷されると（最初の印刷ジョブなので、ステップ４０７はＮＯ）、画像形成装置３０は制御部３１が印刷処理を停止する（ステップ４０８）。
【００９４】
ユーザは自らがＰＣ１０より印刷指示した文書データが分割されて作成された複数の印刷ジョブの中で直前に印刷が終了した印刷ジョブ（ステップ４０６で印刷された印刷ジョブ）の次の印刷ジョブの印刷を画像形成装置３０に開始させる操作を行う。
【００９５】
その操作は、次に印刷が開始させる印刷ジョブのパスワードをパスワード受付部３５より入力する操作である。
【００９６】
ユーザは、ＰＣ１０より印刷指示を行った際に表示部１４に表示されたパスワードを書き記した手帳の内容に基づいて、次に印刷を所望する印刷ジョブのパスワードを入力する。  通常は、分割される前の文書データが順番通りに画像形成装置３０から排紙されるように、分割されて作成された印刷ジョブを順番通り印刷させる。  ユーザにより、次に印刷が開始される印刷ジョブのパスワードが入力されると、パスワード受付部３５が、入力されたパスワードを受け付ける（ステップ４０４）。
【００９７】
そして、パスワード比較部３６は、パスワード受付部３５が受け付けたパスワードをジョブ受付部３２に蓄積する印刷ジョブに付与されたパスワードと比較して、一致するか否かを確認する（ステップ４０５）。
【００９８】
パスワード比較部３６で比較された結果、パスワードが一致すると（ステップ４０５でＹＥＳ）、次の印刷ジョブ（２回目）の印刷を開始する（ステップ４０６）。
【００９９】
また、ステップ４０５で比較が行われた結果、パスワードが一致しない場合には（ステップ４０５でＮＯ）、印刷は停止されたままである。
【０１００】
このように２回目の印刷ジョブについても最初に受信された印刷ジョブとほぼ同様に印刷が行われ、分割印刷を示す識別子が付与された印刷ジョブがジョブ受付部３２になくなると（ステップ４０７でＹＥＳ）、画像形成装置３０における印刷は終了する。
【０１０１】
このように、ユーザがＰＣ１０より印刷指示を行った文書データが分割されて作成された複数の印刷ジョブは、一つの印刷ジョブの印刷が終了すると画像形成装置３０で印刷が停止され、次の印刷ジョブの印刷開始は、ユーザによりパスワード入力が行われることによって行われる。
【０１０２】
それで、分割されて作成された複数の印刷ジョブの印刷は、画像形成装置３０の傍でユーザがパスワードを入力する必要が生じ、大量の印刷物が無人状態で印刷され続けることがなくなって機密書類の持ち去りを防止できる。
【０１０３】
なお、画像形成装置３０に、画像形成装置３０の周辺に人がいる状態を検知することができる赤外線センサを設置して、画像形成装置３０の印刷中に人がいない状態が検知されると、自動的に印刷を停止して、再び赤外線センサにより画像形成装置３０の周辺に人がいる状態が検知されると、パスワード受付部３５より入力されるパスワードの一致の確認が行われて、印刷停止であった印刷を再開するように構成することもできる。
【０１０４】
そのときのパスワードは、印刷停止であった印刷ジョブに付与されたパスワードが正しいパスワードとして、パスワード受付部３５より入力されるパスワードとの比較をパスワード比較部３６が行う。
【０１０５】
なお、ＰＣ１０のプリンタドライバ１７が受け付ける文書データが、複数ページでなくても、複数部数の印刷要求が行われて画像形成装置３０で複数枚数の印刷物が排紙される印刷要求であれば、プリンタドライバ１７により分割印刷を示す識別子とパスワードとが付与された複数の印刷ジョブが作成される。
【０１０６】
なお、ステップ４０５で、パスワード受付部３５が受け付けたパスワードと比較されるパスワードは、印刷ジョブ受付部３２で蓄積される印刷ジョブに付与されるパスワードと説明したが、印刷ジョブ受付部３２で蓄積される印刷ジョブの中で印刷順が最初の印刷ジョブに付与されるパスワードだけであってもよい。
【実施例２】
【０１０７】
実施例１では、パスワード入力により複数の印刷ジョブの印刷が行われるように説明したが、本実施例では、画像形成装置５３０でパスワードの入力の代わりに前回印刷されてバーコードが付与された用紙がスキャンされることによって複数の印刷ジョブの印刷が行われる、分割印刷について説明を行う。
【０１０８】
図５は、本発明に係わる画像形成システム５００の構成を示す模式図である。
【０１０９】
図５に示すように、画像形成システム５００は、パーソナルコンピュータ５１０、画像形成装置５３０とが通信回線５２０で接続されて構成される。
【０１１０】
パーソナルコンピュータ５１０（以下、ＰＣ５１０と呼ぶ）は、通信Ｉ／Ｆ部５１１、制御部５１２、ＲＡＭ５１３、表示部５１４、受付部５１５、記憶部５１６を有する。  ＰＣ５１０は印刷依頼装置である。
【０１１１】
通信Ｉ／Ｆ部５１１は、通信回線５２０と接続され、画像形成装置５３０に印刷ジョブを送信する。
【０１１２】
制御部５１２は、ＰＣ５１０の統括的な制御を行う。
【０１１３】
ＲＡＭ５１３は、ＰＣ５１０で処理される情報を一時的に記憶する処理を行う。
【０１１４】
表示部５１４は、ディスプレイ等で構成され、ＰＣ５１０で処理された情報をユーザに表示する。
【０１１５】
受付部５１５は、キーボードやマウスで構成され、ユーザからの指示を受け付ける。
【０１１６】
記憶部５１６は、ハードディスクなどの記憶装置で構成され、画像形成装置５３０のプリンタドライバ５１７のプログラムを記憶する。
【０１１７】
また、記憶部５１６は、プリンタドライバ５１７の各種印刷条件も記憶する。
【０１１８】
プリンタドライバ５１７は、文書データを分割する分割機能５１８、識別子付の印刷ジョブを作成する印刷ジョブ作成機能５１９を有する。  印刷ジョブ作成機能５１９によってパスワードと識別子も作成される。  そして、その識別子が印刷ジョブに付与されることによって、一つの文書データが分割されて作成された印刷ジョブであることが示される。  また、そのパスワードが印刷ジョブに付与される。
【０１１９】
そして、ＰＣ５１０と通信回線５２０で接続される画像形成装置５３０は、制御部５３１、ジョブ受付部５３２、ジョブ処理部５３３、印刷実行部５３４、スキャナ部５３５、パスワード受付部５３６を有する。
【０１２０】
制御部５３１は、画像形成装置５３０の統括的な制御を行う。
【０１２１】
ジョブ受付部５３２は、ＰＣ５１０より送信された印刷ジョブを受け付け、蓄積する。
【０１２２】
ジョブ処理部５３３は、ジョブ受付部５３２で受け付けた印刷ジョブをＰＤＬ形式の印刷データからビットマップ形式の印刷データを作成する。
【０１２３】
また、ジョブ処理部５３３はバーコード付与部５３７を備える。
【０１２４】
バーコード付与部５３７は、受け付けた印刷ジョブに付与されたパスワードを示すバーコードを作成し印刷データに付与する。  そして、印刷データに付与されたバーコードの元になったパスワードはパスワード比較部５３９に記憶される。
【０１２５】
印刷実行部５３４は、ジョブ処理部５３３より送られたビットマップ形式の印刷データを用紙に印刷して排紙する。
【０１２６】
スキャナ部５３５は、スキャナで構成され、用紙に印刷された内容をスキャンして読み取り、デジタルデータに変換する。
【０１２７】
また、スキャナ部５３５は、用紙に印刷された内容をスキャンする際に、印刷されたバーコードを読み取るバーコード読取部５３８を備える。
【０１２８】
パスワード受付部５３６は、テンキーで構成され、ユーザから入力されるパスワードを受け付ける。
【０１２９】
そして、制御部５３１はパスワード比較部５３９を備える。  パスワード比較部５３９は、スキャナ部５３５のバーコード読取部５３８が読み取ったバーコードの情報と印刷ジョブの最終ページにバーコードとして付与されたパスワードであってパスワード比較部５３９に記憶していたパスワードとを比較して一致するかどうかを確認する処理などを行う。
【０１３０】
このように構成される画像形成システム５００では、ＰＣ５１０のプリンタドライバ５１７で複数ページを有する文書データの印刷指示が受け付けられると、文書データはページ単位に複数に分割されて、分割された文書データに基づいて印刷ジョブがそれぞれ作成される。
【０１３１】
作成された印刷ジョブにはそれぞれ識別子とパスワードとが付与されており、その識別子は一つの文書データが分割されて生成された印刷ジョブであることを示す識別子である。
【０１３２】
プリンタドライバ５１７の印刷ジョブ作成機能５１９により印刷ジョブが作成される際に、ＰＣ５１０の表示部５１４に、作成された複数の印刷ジョブの中で印刷順が最初である印刷ジョブに付与されるパスワードが表示される。  ユーザは表示部５１４に表示されたパスワードを手帳などに書き記す。
【０１３３】
作成された複数の印刷ジョブは、分割される前の文書データを構成するページの順番で、画像形成装置５３０に送信される。
【０１３４】
複数の印刷ジョブを受信した画像形成装置５３０では、パスワード受付部５３６がユーザからパスワードを受け付けて最初の印刷ジョブの印刷を行う。
【０１３５】
そして、最初に印刷される印刷ジョブの最終ページには、ページの所定の位置に、印刷ジョブに付与されたパスワードがバーコードとして印刷される。
【０１３６】
一つの印刷ジョブの最終ページが印刷されると、画像形成装置５３０は印刷を停止する。
【０１３７】
そして、ユーザは、画像形成装置５３０が受信した複数の印刷ジョブのうち、印刷が終了した印刷ジョブの次の印刷ジョブの印刷を開始させるために、印刷が終了した印刷ジョブの最終ページの印刷物を図示しない排紙トレイから取り出して、スキャナ部５３５に配置する。
【０１３８】
スキャナ部５３５に配置された印刷物から読み込まれた画像データよりバーコード読取部５３８が用紙の所定の場所に位置するバーコードを読み取り、そのバーコードの情報と、パスワード比較部５３９に記憶されたパスワードであって最終ページにバーコード付与部５３７によって付与されたパスワードとが一致するか否かが確認される。一致すれば、ジョブ受付部５３２に蓄積される次の印刷ジョブであって、一つの文書データから分割されて作成された印刷ジョブを示す識別子が付与された印刷ジョブの印刷が開始される。
【０１３９】
画像形成システム５００では、このように、複数ページを有する一つの文書データから作成された複数の印刷ジョブが画像形成装置５３０に送られて、最初はパスワードの入力が行われて一つの印刷ジョブが印刷され、印刷された印刷ジョブの最終ページをユーザがスキャナ部５３５に読み込ませることで、受信された複数の印刷ジョブの中の次の印刷ジョブの印刷が開始される。
【０１４０】
次に、ＰＣ５１０で行われる処理について、図６を参照して説明を行う。
【０１４１】
図６は、ＰＣ５１０で行われる処理を示したフローチャートであり、図６（ａ）はプリンタドライバ５１７の印刷設定で行われる処理を示したフローチャートであり、図６（ｂ）はプリンタドライバ５１７による印刷ジョブ作成の処理を示したフローチャートである。
【０１４２】
図６（ａ）に示すように、ＰＣ５１０において、ユーザによりプリンタドライバ５１７の図示しない設定画面が表示され（ステップ６０１）、この設定画面より、文書データが分割されて印刷ジョブが作成される際の分割に関する分割印刷条件の設定がユーザにより行われる（ステップ６０２）。
【０１４３】
分割印刷条件の設定は、分割される分割数が設定される場合と、分割単位の文書データのページ数が設定される場合とがある。
【０１４４】
例えば、分割数が設定される場合では、「３」という分割数が設定されると、印刷指示された１５ページの文書データは３つに分割されてページ数が５ページの印刷ジョブが３つ作成される。
【０１４５】
また、ページ数が設定される場合では、「３ページ」というページ数が設定されると、印刷指示された１５ページの文書データはページ数が３ページの印刷ジョブが５つ作成される。
【０１４６】
このように、分割数或いはページ数による分割印刷条件の設定が完了すると（ステップ６０３でＹＥＳ）、設定された分割印刷条件が記憶部５１６に記憶される（ステップ６０４）。
【０１４７】
次に、図６（ｂ）を参照して印刷ジョブ作成の処理について説明する。
【０１４８】
図６（ｂ）に示すように、ＰＣ５１０は、複数ページを有する文書データの印刷指示をプリンタドライバ５１７が受け付けると（ステップ６１１）、プリンタドライバ５１７が分割印刷される設定となっているか否かが確認され、プリンタドライバ５１７が分割印刷される設定となっていない場合には（ステップ６１２でＮＯ）、印刷指示された文書データは分割されることなく通常通りＰＤＬ形式の印刷データであって識別子が付与されていない印刷ジョブが作成されて画像形成装置５３０に送信される。  
画像形成装置５３０に送信された通常通りの印刷ジョブは、特にバーコード付与部５３７でパスワード付与が行われることなく印刷される。
【０１４９】
また、プリンタドライバ５１７が分割印刷される設定となっている場合には（ステップ６１２でＹＥＳ）、印刷指示された文書データが、プリンタドライバ５１７の分割機能５１８によって記憶部５１６に記憶される分割印刷条件に従って複数に分割され、分割された複数の文書データから印刷ジョブが作成され、作成された印刷ジョブにはそれぞれ識別子とパスワードとが付与される（ステップ６１４）。  ここで印刷ジョブに付与される識別子は、一つの文書データが分割されて作成された印刷ジョブであることを示す識別子である。
【０１５０】
そして、識別子とパスワードとが付与された複数の印刷ジョブは、画像形成装置５３０に送信される（ステップ６１５）。
【０１５１】
次に、画像形成装置５３０で行われる処理について図７を参照して説明する。
【０１５２】
図７は、画像形成装置５３０で行われる処理を示したフローチャートである。
【０１５３】
画像形成装置５３０は、ＰＣ５１０から送信された印刷ジョブをジョブ受付部５３２で受け付ける（ステップ７０１）。
【０１５４】
そして、制御部５３１が、ジョブ受付部５３２で受け付けた印刷ジョブに、識別子が付与された印刷ジョブがあるか否かを確認する（ステップ７０２）。
【０１５５】
識別子が付与された印刷ジョブは、一つの文書データから作成された複数の印刷ジョブであって、分割印刷の印刷ジョブである。
【０１５６】
制御部５３１が確認した結果、識別子が付与されていない場合には（ステップ７０２でＮＯ）、受け付けた印刷ジョブは、通常印刷であると判断されて、ジョブ処理部５３３でビットマップ形式の印刷データに変換された後、印刷実行部５３４で印刷される（ステップ７０３）。
【０１５７】
また、制御部５３１が確認した結果、識別子が付与されている場合には（ステップ７０２でＹＥＳ）、ジョブ受付部５３２に印刷ジョブを蓄積したまま、ユーザがパスワード受付部５３６よりパスワードを入力するのを待つ状態となる（ステップ７０４でＮＯ）。
【０１５８】
分割印刷の印刷ジョブをＰＣ５１０より送信したユーザは、ＰＣ５１０の表示部５１４に表示されたパスワードを手帳などに書き記して画像形成装置５３０に移動し、パスワード受付部５３６よりパスワードを入力して、画像形成装置５３０で印刷を開始させる。
【０１５９】
画像形成装置５３０のパスワード受付部５３６でパスワードが受け付けられると（ステップ７０４でＹＥＳ）、パスワード比較部５３９が、パスワード受付部５３６が受け付けたパスワードを、ジョブ受付部５３２に蓄積してステップ７０１で受け付けた識別子のある印刷ジョブで最初に印刷される印刷ジョブに付与されたパスワードと比較する（ステップ７０５）。
【０１６０】
そして、パスワードが一致すると（ステップ７０５でＹＥＳ）、ジョブ受付部５３２に蓄積してステップ７０１で受け付けた識別子のある印刷ジョブで最初に印刷される印刷ジョブの印刷を行う（ステップ７０６）。
【０１６１】
そして、最初に受信された印刷ジョブの印刷が行われ（ステップ７０７でＮＯ、ステップ７０６）、その印刷ジョブの最終ページの印刷データには（ステップ７０７でＹＥＳ）、パスワード付与部５３７によって、印刷ジョブに付与されたパスワードがバーコードとして付与される（ステップ７０８）。  印刷データにパスワードに基づくバーコードが付与されると、そのパスワードはパスワード比較部５３９に記憶される。  そして、印刷ジョブに付与されたパスワードに基づくバーコードが付与された印刷データが印刷実行部５３４により印刷される（ステップ７０９）。  最終ページは、画像形成装置５３０の図示しない排紙トレイに、その印刷ジョブの中で最後に排紙される。
【０１６２】
最初に受信された印刷ジョブの最終ページが印刷されると（最初のジョブなので、ステップ７１０でＮＯ）、画像形成装置５３０は印刷を停止する（ステップ７１１）。
【０１６３】
印刷が停止されると、ユーザは自らがＰＣ５１０より印刷指示した文書データが分割されて作成された複数の印刷ジョブの中で直前に印刷が終了した印刷ジョブ（ステップ７０９で印刷された印刷ジョブ）の次の印刷ジョブの印刷を画像形成装置５３０に開始させる動作を行う。
【０１６４】
その動作は、直前に印刷が終了した印刷ジョブの最終ページあってバーコードが印刷された用紙を画像形成装置５３０の図示しない排紙トレイから取り出してスキャナ部３０に配置して、スキャナ部５３５にスキャンさせる動作である（ステップ７１２でＹＥＳ）。  最終ページは、図示しない排紙トレイに最後に排紙されているので、ユーザにとって取り出しやすい。
【０１６５】
ユーザによって、直前に印刷された印刷ジョブの最終ページがスキャンされると、スキャナ部５３５のバーコード読取部５３８によって最終ページに印刷されたバーコードが読み取られ（ステップ７１３）、読み取られたバーコードの情報とパスワード比較部５３９に記憶されていたパスワードの情報とがパスワード比較部５３９により比較されて、それらが一致するか否かが確認される（ステップ７１４）。
【０１６６】
バーコード読取部５３８で読み取ったバーコードの情報が、パスワード比較部５３９に記憶されたパスワードと一致した場合には（ステップ７１５でＹＥＳ）、次の印刷ジョブの印刷を開始する（ステップ７０６）。
【０１６７】
パスワードが一致した場合には（ステップ７１５でＹＥＳ）、パスワード比較部５３９に記憶されていたパスワードは削除される。
【０１６８】
また、パスワード比較部５３９でパスワードが一致しない場合には（ステップ７１５でＮＯ）、印刷は停止されたままである（ステップ７１１）。
【０１６９】
パスワードが一致して、次の印刷ジョブ（２回目）が開始されると、開始された印刷ジョブの最終ページの印刷データに、バーコード付与部５３７で、その印刷ジョブに付与されたパスワードに基づくバーコードが付与され、そして、その印刷ジョブに付与されたパスワードはパスワード比較部５３９に記憶される。
【０１７０】
このように２回目の印刷ジョブについても最初に受信された印刷ジョブと同様に印刷が行われ（ステップ７０６乃至７０９）、識別子とパスワードが付与された印刷ジョブがジョブ受付部５３２になくなると（ステップ７１０でＹＥＳ）、画像形成装置５３０における印刷は終了する。
【０１７１】
このように、ユーザがＰＣ５１０より印刷指示を行った文書データが分割されて作成された複数の印刷ジョブは、一つの印刷ジョブの印刷が終了すると画像形成装置５３０で印刷が停止され、そして、次の印刷ジョブの印刷開始は、印刷された印刷ジョブの最終ページがスキャナ部５３５で読み取られることで行われる。  本実施例では実施例１とは異なり、停止された印刷を開始させるための動作が、ユーザによるパスワードの入力ではなく、バーコードが印刷された用紙をスキャナで読み取らせる操作となる。
【０１７２】
それで、分割されて作成された複数の印刷ジョブの印刷は、画像形成装置５３０の傍でユーザが印刷ジョブの最終ページをスキャンさせる必要が生じ、大量の印刷物が無人状態で印刷され続けることがなくなって機密書類の持ち去りを防止できる。
【０１７３】
なお、本実施例で印刷される用紙にはパスワードに基づくバーコードではなく、画像形成装置５３０で用紙に付与できてかつ画像形成装置５３０で読み取ることのできる、例えばウォーターマークなどの形式でもよい。
【０１７４】
なお、画像形成装置５３０に、画像形成装置５３０の周辺に人がいる状態を検知することができる赤外線センサを設置して、画像形成装置５３０の印刷中に人がいない状態が検知されると、自動的に印刷を停止して、再び赤外線センサにより画像形成装置５３０の周辺に人がいる状態が検知されると印刷を再開するようにも構成してよい。  その場合には、制御部５３１が、赤外線センサの検知内容を、印刷実行部５３４における印刷動作を制御する。
【０１７５】
なお、ＰＣ５１０のプリンタドライバ５１７が受け付ける文書データが、複数ページでなくても、複数部数の印刷要求が行われて画像形成装置５３０で複数枚数の印刷物が排紙される印刷要求であれば、プリンタドライバ５１７によりＩＤが付与された複数の印刷ジョブが作成される。
【０１７６】
なお、パスワード付与部５３７で付与されるバーコードの基となるパスワードは、パーソナルコンピュータ５１０で作成されて印刷ジョブに付与されるように説明したが、文書データが分割されて生成された印刷ジョブで最初に印刷される印刷ジョブ以外にはパスワードが付与されずに、最初に印刷される印刷ジョブ以外の印刷ジョブの最終ページに印刷されるバーコードの基となるパスワードはジョブ処理部５３３で生成されるようにも構成される。  その際には、印刷データに付与されたバーコードの基となるパスワード（ジョブ処理部５３３で生成されるパスワード）がパスワード比較部５３９に記憶される。
【０１７７】
なお、本実施例では、一つの文書データが分割されて作成された印刷ジョブを示す識別子付の印刷ジョブについては、最終ページはＩＤが付与されて印刷されるように説明したが、最終ページだけではなくすべてのページに該ＩＤが付与されるように印刷されてもよい。
【０１７８】
なお、一つの文書データが分割されて作成された複数の印刷ジョブを受信した画像形成装置５３０は、最初に印刷する印刷ジョブに関してパスワードを受信した後に印刷するように説明したが、最初に印刷する印刷ジョブに関してはパスワードを受信することなく印刷ジョブを受信した直後に印刷を開始するように構成してもよい。
【実施例３】
【０１７９】
実施例１では、パスワード入力により複数の印刷ジョブの印刷が行われるように説明したが、本実施例では、画像形成装置８３０でパスワード入力の代わりに前回印刷された用紙がスキャンされることによって複数の印刷ジョブの印刷が行われる、分割印刷について説明を行う。
【０１８０】
図８は、本発明に係わる画像形成システム８００の構成を示す模式図である。
【０１８１】
図８に示すように、画像形成システム８００は、パーソナルコンピュータ８１０、画像形成装置８３０とが通信回線８２０で接続されて構成される。
【０１８２】
パーソナルコンピュータ８１０（以下、ＰＣ８１０と呼ぶ）は、通信Ｉ／Ｆ部８１１、制御部８１２、ＲＡＭ８１３、表示部８１４、受付部８１５、記憶部８１６を有する。  ＰＣ８１０は印刷依頼装置である。
【０１８３】
通信Ｉ／Ｆ部８１１は、通信回線８２０と接続され、画像形成装置８３０に印刷ジョブを送信する。
【０１８４】
制御部８１２は、ＰＣ８１０の統括的な制御を行う。
【０１８５】
ＲＡＭ８１３は、ＰＣ８１０で処理される情報を一時的に記憶する処理を行う。
【０１８６】
表示部８１４は、ディスプレイ等で構成され、処理された情報をユーザに表示する。
【０１８７】
受付部８１５は、キーボードやマウスで構成され、ユーザからの指示を受け付ける。
【０１８８】
記憶部８１６は、ハードティスクなどの記憶装置で構成され、画像形成装置８３０のプリンタドライバ８１７のプログラムを記憶する。
【０１８９】
また、記憶部８１６は、プリンタドライバ８１７の各種印刷条件も記憶する。
【０１９０】
プリンタドライバ８１７は、文書データを分割する分割機能８１８、分割された文書データより印刷ジョブを作成する印刷ジョブ作成機能８１９を有する。  印刷ジョブ作成機能８１９によってパスワードと識別子が作成される。  そして、その識別子が印刷ジョブに付与されることによって、一つの文書データが分割されて作成された印刷ジョブであることが示される。  また、そのパスワードが印刷ジョブに付与される。
【０１９１】
そして、ＰＣ８１０と通信回線８２０で接続される画像形成装置８３０は、制御部８３１、ジョブ受付部８３２、ジョブ処理部８３３、印刷実行部８３４、スキャナ部８３５、画像比較部８３６、パスワード受付部８３７を有する。
【０１９２】
制御部８３１は、画像形成装置８３０の統括的な制御を行う。
【０１９３】
ジョブ受付部８３２は、ＰＣ８１０より送信された印刷ジョブを受け付け、蓄積する。
【０１９４】
ジョブ処理部８３３は、ジョブ受付部８３２で受け付けた印刷ジョブをＰＤＬ形式の印刷データからビットマップ形式の印刷データを作成する。
【０１９５】
また、ジョブ処理部８３３は、文書データが分割されて作成された印刷ジョブの最終ページのビットマップ形式の印刷データを画像比較部８３６に送る。
【０１９６】
印刷実行部８３４は、ジョブ処理部８３３より送られたビットマップ形式の印刷データを用紙に印刷して排紙する。
【０１９７】
スキャナ部８３５は、スキャナで構成され、用紙に印刷された内容をスキャンして読み取り、デジタルデータに変換する。
【０１９８】
画像比較部８３６は、ジョブ処理部８３３より送られた印刷ジョブの最終ページのビットマップ形式の印刷データを、スキャナ部８３５より読み込んだ画像データと比較が可能な画像データに変換して記憶する。
【０１９９】
そして、画像比較部８３６は、ジョブ処理部８３３より送られて変換して記憶した画像データとスキャナ部８３５より読み込まれた画像データとの比較を行い、比較の結果、類似度が所定の値以上であればお互いの画像データは一致すると判断する。
【０２００】
パスワード受付部８３７は、テンキーで構成され、ユーザから入力されるパスワードを受け付ける。
【０２０１】
このように構成される画像形成システム８００では、ＰＣ８１０のプリンタドライバ８１７で複数ページを有する文書データの印刷指示が受け付けられると、文書データはページ単位に複数に分割されて、分割された文書データに基づいて印刷ジョブがそれぞれ作成される。
【０２０２】
作成された印刷ジョブには、それぞれ、一つの文書データが分割されて作成された印刷ジョブであることを示す識別子が付与される。  また、作成された複数の印刷ジョブのうち、最初に印刷される印刷ジョブについては、識別子に加えてパスワードが付与される。  このパスワードは印刷ジョブ作成機能８１９により作成されたパスワードである。  そして、そのパスワードは、ＰＣ８１０の表示部８１４に表示され、ユーザは表示部８１４に表示されたパスワードを手帳などに書き記す。
【０２０３】
このようにして作成された複数の印刷ジョブは、分割される前の文書データを構成するページの順番に、画像形成装置８３０に送信される。
【０２０４】
複数の印刷ジョブを受信した画像形成装置８３０では、受信直後に印刷は行わず、ユーザからパスワード受付部８３７でパスワードを受け付けた後に最初に受信した印刷ジョブの印刷を行う。
【０２０５】
そして、一つの文書データより作成された複数の印刷ジョブの中で最初に受信された印刷ジョブの印刷が終了すると、画像形成装置８３０は印刷を停止する。
【０２０６】
そして、ユーザは、画像形成装置８３０が受信した複数の印刷ジョブのうち、印刷が終了した印刷ジョブの次の印刷ジョブを印刷させるために、印刷された最終ページの印刷物をスキャナ部８３５に配置して読み込ませる。
【０２０７】
スキャナ部８３５より読み込まれた画像データが画像比較部８３６に送られ、画像比較部８３６でジョブ処理部８３３より送られて記憶されていた最終ページの画像データとスキャナ部８３５より読み込まれた画像データとの画像比較が行われ、画像データの類似度が所定の値以上であれば一致する画像であると判断されて、次の印刷ジョブの印刷が開始される。
【０２０８】
画像形成システム８００では、このように、複数ページを有する一つの文書データから作成された複数の印刷ジョブが画像形成装置８３０に送られて、パスワードを受け付けた後に一つの印刷ジョブが印刷され、印刷された印刷ジョブの最終ページをユーザがスキャナ部８３５に読み込ませ、次の印刷が開始される。
【０２０９】
次に、ＰＣ８１０で行われる処理について、図９を参照して説明を行う。
【０２１０】
図９は、ＰＣ８１０で行われる処理を示したフローチャートであり、図９（ａ）プリンタドライバ８１７の印刷設定で行われる処理を示したフローチャートであり、図９（ｂ）はプリンタドライバ８１７による印刷ジョブ作成の処理を示したフローチャートである。
【０２１１】
図９（ａ）に示すように、ＰＣ８１０において、ユーザによりプリンタドライバ８１７の図示しない設定画面が表示され（ステップ９０１）、この設定画面より、文書データが分割されて印刷ジョブが作成される際の分割に関する分割印刷条件の設定がユーザにより行われる（ステップ９０２）。
【０２１２】
分割印刷条件の設定は、分割される分割数が設定される場合と、分割単位の文書データのページ数が設定される場合とがある。
【０２１３】
この分割数の設定とページ数の設定とについては、実施例１で説明した分割数とページ数と同じなので、詳しい説明は省略する。
【０２１４】
分割数或いはページ数による分割印刷条件の設定が完了する（ステップ９０３でＹＥＳ）、設定された分割印刷条件が記憶部８１６に記憶される（ステップ９０４）。
【０２１５】
次に、図９（ｂ）を参照して印刷ジョブ作成の処理について説明する。
【０２１６】
図９（ｂ）に示すように、ＰＣ８１０は、複数ページを有する文書データの印刷指示をプリンタドライバ８１７が受け付けると（ステップ９１１）、プリンタドライバ８１７が分割印刷される設定となっているか否かが確認され、プリンタドライバ８１７が分割印刷される設定となっていない場合には（ステップ９１２でＮＯ）、印刷指示された文書データは分割されることなく通常通りＰＤＬ形式の印刷データである印刷ジョブが作成されて画像形成装置８３０に送信される。
【０２１７】
画像形成装置３０に送信された通常通りの印刷ジョブは、特にジョブ処理部８３３より画像データが画像比較部８３６に送られることなく印刷される。
【０２１８】
また、プリンタドライバ８１７が分割印刷される設定となっている場合には（ステップ９１２でＹＥＳ）、印刷指示された文書データが、プリンタドライバ８１７の分割機能８１８によって記憶部８１６に記憶される分割印刷条件に従って複数に分割され、分割された複数の文書データから印刷ジョブが作成され、作成された印刷ジョブには、それぞれ、一つの文書データから分割されて作成された印刷ジョブであることを示す識別子が付与される。  また、分割された複数の文書データから作成された印刷ジョブの中で最初に印刷される印刷ジョブについては、識別子に加えてパスワードが付与される（ステップ９１４）。  付与される識別子とパスワードとは印刷ジョブ作成機能８１９によって作成されたものである。  また、この識別子は、分割印刷であることを示す識別子である。
【０２１９】
そして、分割印刷の識別子が付与された複数の印刷ジョブは、画像形成装置８３０に送信される（ステップ９１５）。
【０２２０】
次に、画像形成装置８３０で行われる処理について図１０を参照して説明する。
【０２２１】
図１０は、画像形成装置８３０で行われる処理を示したフローチャートである。
【０２２２】
画像形成装置８３０は、ＰＣ８１０から送信された印刷ジョブをジョブ受付部８３２で受け付ける（ステップ１００１）。
【０２２３】
そして、制御部８３１が、ジョブ受付部８３２で受け付けた印刷ジョブに、分割印刷を示す識別子が付与されているか否かを確認する（ステップ１００２）。
【０２２４】
制御部８３１が確認した結果、受け付けた印刷ジョブに分割印刷を示す識別子が付与されていない場合には（ステップ１００２でＮＯ）、受け付けた印刷ジョブは、通常印刷であると判断されて、ジョブ処理部８３３でビットマップ形式の印刷データに変換された後、印刷実行部８３４で印刷される（ステップ１００３）。
【０２２５】
また、制御部８３１が確認した結果、受け付けた印刷ジョブに分割印刷を示す識別子が付与されている場合には（ステップ１００２でＹＥＳ）、ジョブ受付部８３２に印刷ジョブを蓄積したまま、最初に印刷される印刷ジョブに付与されたパスワードを制御部８３１が一時記憶し、ユーザがパスワード受付部８３７よりパスワードを入力するのを待つ状態となる（ステップ１００４でＮＯ）。
【０２２６】
分割印刷の印刷ジョブをＰＣ８１０より送信したユーザは、ＰＣ８１０の表示部８１４に表示されたパスワードを手帳などに書き記して画像形成装置８３０に移動し、パスワード受付部８３７よりパスワードを入力して、画像形成装置８３０で印刷を開始させる。
【０２２７】
画像形成装置８３０のパスワード受付部８３７でパスワードが受け付けられると（ステップ１００４でＹＥＳ）、制御部８３１がパスワード受付部８３７が受け付けたパスワードを、制御部８３１内に一時記憶していたパスワードと比較する（ステップ１００５）。  そして、パスワードが一致すると（ステップ１００５でＹＥＳ）、ジョブ受付部８３２に蓄積してステップ１００１で受け付けた識別子のある印刷ジョブで最初に印刷される印刷ジョブ（パスワードが付与されている）の印刷を行う（ステップ１００６）。
【０２２８】
分割印刷を示す識別子が付与された印刷ジョブが受信された場合には複数の印刷ジョブが受信されているので、その複数の印刷ジョブのうち最初に受信された印刷ジョブが印刷される（ステップ１００６）。
【０２２９】
そして、ジョブ受付部８３２で受け付けられた印刷ジョブがジョブ処理部８３３に送られてＰＤＬ形式の印刷データがビットマップ形式の印刷データに変換される際に、最終ページのビットマップ形式の印刷データが画像比較部８３６に記憶される処理が行われる（ステップ１００６）。  最終ページは、印刷実行部８３４より印刷されると、画像形成装置８３０の図示しない排紙トレイに最後に排紙される。
【０２３０】
ジョブ処理部８３３でビットマップ形式の印刷データに変換された後には、印刷実行部８３４にその印刷データが送られて用紙に印刷される（ステップ１００６）。
【０２３１】
最初に受信された印刷ジョブの最終ページが印刷されると（最初のジョブなので、ステップ１００７でＹＥＳ）、画像形成装置８３０は印刷を停止する（ステップ１００８）。
【０２３２】
印刷が停止されると、ユーザは自らがＰＣ８３０より印刷指示した文書データが分割されて作成された複数の印刷ジョブの中で直前に印刷が終了した印刷ジョブ（ステップ１００６で印刷された印刷ジョブ）の次の印刷ジョブの印刷を画像形成装置８３０に開始させる動作を行う。
【０２３３】
その動作は、直前に印刷が終了した印刷ジョブの最終ページを図示しない排紙トレイから取り出してスキャナ部８３５に配置して、スキャナ部８３５にスキャンさせる動作である（ステップ１００９でＹＥＳ）。  最終ページは、図示しない排紙トレイに最後に排紙されているので、ユーザにとって取り出しやすい。
【０２３４】
ユーザによって、直前に印刷された印刷ジョブの最終ページがスキャンされると、スキャンされた画像データが画像比較部８３６に送られる。
【０２３５】
そして、画像比較部８３６で、スキャンされた画像データと画像比較部８３６に記憶されていたビットマップ形式の最終ページの印刷データが変換された画像データとの比較が行われる（ステップ１０１０）。
【０２３６】
ステップ１０１０で比較が行われた結果、画像データの類似度が所定の値以上であれば、スキャンされた画像データと記憶されていた画像データとは一致する画像データとされ（ステップ１０１１でＹＥＳ）、次の印刷ジョブの印刷を開始する（ステップ１００６）。
【０２３７】
画像データが一致したとされた場合には（ステップ１０１１でＹＥＳ）、画像比較部８３６に記憶されていた最終ページの印刷データが変換された画像データは削除される。
【０２３８】
また、ステップ１０１０で比較が行われた結果、画像データの類似度が所定の値未満であれば、スキャンされた画像データと記憶されていた画像データとは一致しない画像データとされ（ステップ１０１１でＮＯ）、印刷は停止されたままである。
【０２３９】
画像データが一致するとされて、次の印刷ジョブ（２回目）が開始されると、開始された印刷ジョブの最終ページの印刷データが比較可能な画像データに変換されて画像比較部８３６に記憶される。
【０２４０】
このように２回目の印刷ジョブについても最初に受信された印刷ジョブと同様に印刷が行われ、分割印刷を示す識別子が付与された印刷ジョブがジョブ受付部８３２になくなると（ステップ１００７でＹＥＳ）、画像形成装置８３０における印刷は終了する。
【０２４１】
このように、ユーザがＰＣ８１０より印刷指示を行った文書データが分割されて作成された複数の印刷ジョブは、一つの印刷ジョブの印刷が終了すると画像形成装置８３０で印刷が停止され、次の印刷ジョブの印刷開始は、印刷された印刷ジョブの最終ページがスキャナ部８３５で読み取られることで行われる。  本実施例では実施例１とは異なり、停止された印刷を開始させるための動作が、ユーザによるパスワードの入力ではなく、印刷ジョブの最終ページが印刷された用紙をスキャナで読み取らせる操作となる。
【０２４２】
それで、分割されて作成された複数の印刷ジョブの印刷は、画像形成装置８３０の傍でユーザが印刷ジョブの最終ページをスキャンさせる必要が生じ、大量の印刷物が無人状態で印刷され続けることがなくなって機密書類の持ち去りを防止できる。
【０２４３】
なお、画像形成装置８３０に、画像形成装置８３０の周辺に人がいる状態を検知することができる赤外線センサを設置して、画像形成装置８３０の印刷中に人がいない状態が検知されると、自動的に印刷を停止して、再び赤外線センサにより画像形成装置８３０の周辺に人がいる状態が検知されると印刷を再開するように構成することもできる。
【０２４４】
なお、ＰＣ８１０のプリンタドライバ８１７が受け付ける文書データが、複数ページでなくても、複数部数の印刷要求が行われて画像形成装置８３０で複数枚数の印刷物が排紙される印刷要求であれば、プリンタドライバ８１７により分割印刷を示す識別子が付与された複数の印刷ジョブが作成される。
【産業上の利用可能性】
【０２４５】
この発明は、画像形成システムおよび画像形成装置および印刷依頼装置において利用可能である。
【０２４６】
この発明によれば、大量の印刷物が無人状態で印刷され続けることをなくして、機密書類の持ち去りを防止する。
【図面の簡単な説明】
【０２４７】
【図１】画像形成システム１００の構成を示す模式図。
【図２】ＰＣ１０で行われる処理を示したフローチャート。
【図３】画像形成装置３０で行われる処理を示したフローチャート。
【図４】画像形成システム４００の構成を示す模式図。
【図５】ＰＣ４１０で行われる処理を示したフローチャート。
【図６】画像形成装置４３０で行われる処理を示したフローチャート。
【図７】画像形成システム７００の構成を示す模式図。
【図８】プリンタドライバ７１７の設定画面８００を示す画面構成図。
【図９】ＰＣ７１０で行われる処理を示したフローチャート。
【図１０】画像形成装置７３０で行われる処理を示したフローチャート。
【符号の説明】
【０２４８】
１０    パーソナルコンピュータ
１１    通信Ｉ／Ｆ部
１２    制御部
１３    ＲＡＭ
１４    表示部
１５    受付部
１６    記憶部
１７    プリンタドライバ
２０    通信回線
３０    画像形成装置
３１    制御部
３２    ジョブ受付部
３３    ジョブ処理部
３４    印刷実行部
３５    パスワード受付部
３６    パスワード比較部
１００    画像形成システム
５００    画像形成システム
５１０    パーソナルコンピュータ
５１１    通信Ｉ／Ｆ部
５１２    制御部
５１３    ＲＡＭ
５１４    表示部
５１５    受付部
５１６    記憶部
５１７    プリンタドライバ
５２０    通信回線
５３０    画像形成装置
５３１    制御部
５３２    ジョブ受付部
５３３    ジョブ処理部
５３４    印刷実行部
５３５    スキャナ部
５３６    パスワード受付部
５３７    パスワード付与部
５３８    バーコード読取部
５３９    パスワード比較部
８００    画像形成システム
８１０    パーソナルコンピュータ
８１１    通信Ｉ／Ｆ部
８１２    制御部
８１３    ＲＡＭ
８１４    表示部
８１５    受付部
８１６    記憶部
８１７    プリンタドライバ
８２０    通信回線
８３０    画像形成装置
８３１    制御部
８３２    ジョブ受付部
８３３    ジョブ処理部
８３４    印刷実行部
８３５    スキャナ部
８３６    画像比較部
８３７    パスワード受付部
【図１】
2008276600.tif 000003
【図２】
2008276600.tif 000004
【図３】
2008276600.tif 000005
【図４】
2008276600.tif 000006
【図５】
2008276600.tif 000007
【図６】
2008276600.tif 000008
【図７】
2008276600.tif 000009
【図８】
2008276600.tif 000010
【図９】
2008276600.tif 000011
【図１０】
2008276600.tif 000012